(57)【要約】      （修正有）【課題】ウェブログのＷｅｂページに投稿する操作を簡素化すると共に、不正アクセスの防止機能を備えた情報提供システムを提供する。【解決手段】情報提供依頼者の投稿情報を蓄積するデータベースを有する第１のＰｉｎｇサイトと、情報提供依頼者のＷｅｂページのＵＲＬと第１のＰｉｎｇサイトのＵＲＬとを登録したデータベースを有するＰｉｎｇプロキシサイトと、情報提供依頼者のウェブログのＷｅｂページに情報を投稿する端末装置とを備える。情報提供依頼者の端末装置は、投稿した投稿情報を情報提供依頼者のＷｅｂページのＵＲＬと共にＰｉｎｇプロキシサイトに送信する。Ｐｉｎｇプロキシサイトは受信したこの投稿情報を、情報提供依頼者のウェブログＵＲＬと共に第１のＰｉｎｇサイトに送信する。このとき、Ｐｉｎｇプロキシサイトと第１のＰｉｎｇサイトは、受信した情報提供依頼者のウェブログＵＲＬが予め登録されているか否かを認証する。【選択図】図１
2007087361.tif 000002
【特許請求の範囲】
【請求項１】
情報提供依頼者が開設しているＷｅｂサイトのウェブログＵＲＬと、前記情報提供依頼者が前記ウェブログのＷｅｂページに投稿した投稿情報を蓄積するデータベースを有する第１のＰｉｎｇサイトと、
前記情報提供依頼者の前記ウェブログＵＲＬを含む属性情報と、前記第１のＰｉｎｇサイトに設定されているＰｉｎｇ送信先のＵＲＬを登録したデータベースを有するＰｉｎｇプロキシサイトと、
前記情報提供依頼者が該情報提供依頼者の前記ウェブログのＷｅｂページをアクセスして情報を投稿するための端末装置と、を備えた情報提供システムであって、
前記Ｗｅｂサイトは、前記ウェブログのＷｅｂページに投稿された投稿情報と、前記情報提供依頼者のＷｅｂページのＵＲＬと共に前記Ｐｉｎｇプロキシサイトに送信する手段を備え、
前記Ｐｉｎｇプロキシサイトは、前記Ｗｅｂサイトから受信した前記情報提供依頼者のＷｅｂページのＵＲＬが予め前記Ｐｉｎｇプロキシサイトの前記データベースに登録されている場合に、
前記投稿情報を前記Ｗｅｂサイトから取得する手段と、
前記取得した投稿情報と前記情報提供依頼者のＷｅｂページのＵＲＬを、前記データベースに登録されている前記Ｐｉｎｇ送信先のＵＲＬを有する前記第１のＰｉｎｇサイトに送信する手段を備え、
前記第１のＰｉｎｇサイトは、前記Ｐｉｎｇプロキシサイトから取得した前記情報提供依頼者のＷｅｂページのＵＲＬが予め前記第１のＰｉｎｇサイトに登録されている場合に、前記投稿情報を前記Ｐｉｎｇプロキシサイトから取得し、該取得した投稿情報を前記第１のＰｉｎｇサイトの前記データベースに蓄積する手段を備えていることを特徴とする情報提供システム。
【請求項２】
前記情報提供システムは、一つ又は複数の前記第１のＰｉｎｇサイトと、
さらに、前記Ｐｉｎｇプロキシサイトから送信された前記投稿情報を任意に取得して、該取得した投稿情報を前記データベースに蓄積する、一つ又は複数の第２のＰｉｎｇサイトを備えていることを特徴とする請求項１に記載の情報提供システム。
【請求項３】
予め選択されたキーワートを登録したデータベースを備え、前記Ｐｉｎｇプロキシサイトから取得した投稿情報に、前記データベースに登録された前記キーワードが含まれている場合に、前記取得した投稿情報を、投稿情報を蓄積するデータベースに記憶する手段を有する第３のＰｉｎｇサイトを備えていることを特徴とする請求項１または請求項２に記載の情報提供システム。
【請求項４】
前記Ｐｉｎｇプロキシサイトは、前記第１、前記第２、および前記第３のＰｉｎｇサイトに設定されているＰｉｎｇ送信先のＵＲＬを登録したデータベースを備えて、前記Ｗｅｂサイトから受信した前記投稿情報を、前記データベースに登録されている全ての前記Ｐｉｎｇ送信先のＵＲＬに送信することを特徴とする請求項１から請求項３のいずれかに記載の情報提供システム。
【発明の詳細な説明】
【技術分野】
【０００１】  本発明は、ウェブログ等を応用して各種の情報をユーザに提供する情報提供システムに関するものである。
【背景技術】
【０００２】  インターネットの普及に伴って、ユーザは端末装置を操作して情報提供を行なうボータルサイト等のＷｅｂサイトをアクセスして、企業等が公開するＷｅｂページの閲覧、あるいはこのＷｅｂページとリンクされた他のＷｅｂページのＵＲＬ（Ｕｎｉｆｏｒｍ  Ｒｅｓｏｕｒｃｅ  Ｌｏｃａｔｏｒ）をアクセスすることにより、各種の情報を得ることが可能になってきた。このような従来から実用化されている情報提供システムは、Ｗｅｂページを利用して情報を広く公開することを目的としたものであった。このため、Ｗｅｂページの作成者側が新規情報を必要なときに直ちにこのＷｅｂページに掲載すること、あるいは、Ｗｅｂページを閲覧した一般ユーザがこのＷｅｂページに意見等の情報を書き込んで、これらの情報を直ちにインターネット上に公開することは極めて困難であった。また、ホームページを含むＷｅｂページを作成するためには、ＨＴＭＬ言語などの知識を詳細に習得する必要があった。このため、短時間でホームページを含むＷｅｂページを作成して情報を公開することは不可能であった。【０００３】  このように、Ｗｅｂページに新規情報を直ちに掲載することを可能とし、さらに、このＷｅｂページを閲覧した一般ユーザは直ちにこの閲覧したＷｅｂページに意見等の書き込みを可能にし、これら新規情報や意見等を掲載したＷｅｂページを直ちに更新してインターネット上に公開可能なシステムを構築すると、その利用価値は極めて大きくなる。【０００４】  上記課題を解決する手段の一つとして、近年、ウェブログツールを用いて作成したＷｅｂページをインターネット上に公開して、Ｗｅｂページ作成者側とこのＷｅｂページを閲覧した一般ユーザ側とが双方向のコミュニケーションを可能としたウェブログ（Ｗｅｂｌｏｇ：略してブログと言われている）に関する技術が急速に普及し、実用化されてきている。このウェブログにおいては、「コメント」と「トラックバック」の機能を用いて、Ｗｅｂページの作成者である情報提供者側とユーザ間で、双方向のコミュニケーションがＷｅｂページ等を介して可能になる。【０００５】  このウェブログ技術を応用すると、例えば、企業が新製品等に関する情報を記載したウェブログのＷｅｂページを、このＷｅｂページに新規に情報を記載した情報の更新通知等のサービスを行なうＷｅｂサイト（以下、Ｐｉｎｇサイトという）を利用しで公開すると、このＷｅｂページに書き込んだ情報は、Ｐｉｎｇサイトのデータベースに時系列的に蓄積される。これにより、ウェブログのＷｅｂページにはこの時系列的に蓄積され情報を掲載することが可能になる。そして、一般ユーザ等は、インターネット上でこのウェブログのＷｅｂページを閲覧すると、直ちに時系列的に蓄積された情報を閲覧することができる。
これにより、例えば、企業や店舗等は、このウェブログのＷｅｂページに日々新製品や新規サービス等に関する情報を掲載（投稿）してインターネット上に公開すると、早く、容易に、かつ広範囲に、これら情報を発信することが可能になり、その結果として収益の向上や有益なマーケティング情報を得ることができるようになる。【０００６】  上記したウェブログを用いた情報提供システムは、一般に次のような手順により構築され、運用されている。【０００７】  （１）Ｐｉｎｇサイトを利用してウェブログのＷｅｂページにより情報を発信する各種の企業、個人等（以下、情報提供依頼者という）は、自分がホームページの開設登録を行っているインターネットプロバイダー等のＷｅｂサイトをアクセスして、情報提供依頼者が投稿した情報の送信先となるこのＰｉｎｇサイトの情報送信先（Ｐｉｎｇ送信先）のＵＲＬを、ウェブログツールの管理画面を利用してこのＷｅｂサイトに登録する。【０００８】  （２）情報提供依頼者は、端末装置からＷｅｂサイトに登録した自分のウェブログのＵＲＬをアクセスする。これにより、ウェブログのＷｅｂページの管理ページを表示して、情報（記事）を投稿することが可能になる。【０００９】  （３）上記（２）により情報提供依頼者が投稿した情報は、情報提供依頼者側のＷｅｂサイトからＰｉｎｇサイトに送信され、Ｐｉｎｇサイトのデータベースに時系列的に記録（蓄積）される。これにより、一般のユーザは、ＰｉｎｇサイトのＷｅｂページ等をアクセスすることにより、このデータベースに蓄積されたこれらの投稿情報をウェブログのＷｅｂページとして閲覧することが可能になる。【００１０】  （４）一般のユーザが投稿情報を表示するＷｅｂページに意見等を投稿するときには、このＷｅｂページは情報提供依頼者のＷｅｂサーバにおいて、そのウェブログのＷｅｂページのＵＲＬ（以下、ウェブログＵＲＬという）とリンクが張られているので、このウェブログＵＲＬをアクセスしてウェブロブのＷｅｂページを表示させ、このＷｅｂページに意見等を投稿することができる。この投稿された意見に関する情報は、情報提供依頼者のＷｅｂサーバに蓄積される。【００１１】  上記したウェブログを応用した従来の情報提供システムにおいて、情報提供依頼者が端末装置を利用して自分のウェブログのＷｅｂページに情報を投稿しようとすると、前記したように、ＷｅｂサイトはこのＰｉｎｇサイトのＰｉｎｇ送信先のＵＲＬをアクセスして、この投稿情報を送信する。現在、各地に多数設立されているＰｉｎｇサイトの大多数は、情報提供依頼者が投稿した投稿情報を、この情報提供依頼者の認証等を行なうことなく受信してデータベースに蓄積している。【００１２】  上記のようなウェブログを応用した情報提供システムを運用すると、不特定の者がＰｉｎｇサイトをアクセスして、公序良俗に反する不適正な情報や意見等を投稿する危険性がある。このような不具合を防止するために、従来から実用化されているインターネットを応用した情報提供システムにおいては、例えば、下記の特許文献に記載の認証手段やユーザ登録手段に関する発明が提案されている。【００１３】
【特許文献１】  特開２００２−３２３４０号公報
【特許文献２】  特開２００４−３２６４４２号公報
【００１４】  特許文献１には、ユーザの認証を必要とするＷｅｂサイトに対して、ユーザの端末装置とＷｅｂサーバとの間にユーザの認証を代行するユーザ認証プロキシ装置を設けたシングルサインオンシステムが提案されている。そして、特許文献１には、ユーザ認証プロキシ装置はユーザ認証を代行するために必要なデータを記憶する手段を備え、ユーザの端末装置で指定したＷｅｂサイトに対するユーザ認証をユーザ認証プロキシ装置で代行させることにより、ユーザ端末装置におけるユーザ認証のための操作を削減することが記載されている。【００１５】  さらに、特許文献１に記載のユーザ認証プロキシ装置は、ユーザ認証用のデータとして、ＷｅｂサイトのＵＲＬ、ユーザ認証用データとしてユーザ端末装置がＷｅｂサイトから取得したデータ、およびユーザ端末装置がＷｅｂサーバに送信したユーザ認識用データの３つのデータを組みとして記憶手段に保存していることが開示されている。【００１６】  特許文献２には、ユーザが情報提供サーバへのユーザ登録操作を簡素化することを目的としたユーザ登録システムが提案されている。特許文献２には、ユーザの端末装置と情報提供サーバとの間に管理サーバを設け、この管理サーバのデータベースに、ユーザの端末装置から入力された所定の個人情報を、情報提供サーバからユーザに対して割り当てられたユーザ識別情報と対比させて登録しておく。そして、ユーザ端末装置が情報提供サーバをアクセスしてユーザ登録を行なうときに、情報提供サーバはユーザ端末装置からユーザＩＤとパスワードとを受け取り、さらに管理サーバからデータベースに登録しているユーザの個人情報を取得する。そして、情報提供サーバは、管理サーバから取得した個人情報を所定のフォーマットで端末装置に表示する。これにより、ユーザは情報提供サーバへの登録情報に対して不足している情報を確認することができるので、ユーザ登録操作の入力作業の負担を軽減できることが開示されている。
【発明の開示】
【発明が解決しようとする課題】
【００１７】  特許文献１および特許文献２に記載の発明は、ユーザの認証、あるいはユーザの登録操作を簡素化するために、ユーザ端末装置と情報提供サーバとの間に、これら認証やユーザ登録に必要とするデータを登録した中継サーバ等を設けることにより、ユーザの端末装置における入力操作を簡素化するシステムである。しかし、これらのシステムは、ユーザが各種の情報を蓄積する情報提供サーバにアクセスして、情報を得るシステムを対象として、ユーザの登録や認証操作を簡素化したシステムであって、ユーザが積極的に情報提供サーバに情報を投稿するようなシステムに適用されたものではない。また、情報提供サーバに蓄積する情報の質の向上を目的として、ユーザの登録や認証操作を簡素化するシステムではない。【００１８】  そこで、本発明の目的は、従来のウェブログ技術を応用した情報提供システムについて、インターネット上にウェブログのＷｅｂページを公開する情報提供依頼者が、このＷｅｂページに新規情報を含む情報を投稿するための操作を著しく簡素化すると共に、さらに、投稿された情報を分類して蓄積することを可能にし、かつ、不正な情報の投稿を防止することができる情報提供システムを提供することにある。
【課題を解決するための手段】
【００１９】  本発明は、情報提供依頼者が開設しているＷｅｂサイトのウェブログＵＲＬと、前記情報提供依頼者が前記ウェブログのＷｅｂページに投稿した投稿情報を蓄積するデータベースを有する第１のＰｉｎｇサイトと、
前記情報提供依頼者の前記ウェブログＵＲＬを含む属性情報と、前記第１のＰｉｎｇサイトに設定されているＰｉｎｇ送信先のＵＲＬを登録したデータベースを有するＰｉｎｇプロキシサイトと、
前記情報提供依頼者が該情報提供依頼者の前記ウェブログのＷｅｂページをアクセスして情報を投稿するための端末装置と、を備えた情報提供システムであって、
前記Ｗｅｂサイトは、前記ウェブログのＷｅｂページに投稿された投稿情報と、前記情報提供依頼者のＷｅｂページのＵＲＬと共に前記Ｐｉｎｇプロキシサイトに送信する手段を備え、
前記Ｐｉｎｇプロキシサイトは、前記Ｗｅｂサイトから受信した前記情報提供依頼者のＷｅｂページのＵＲＬが予め前記Ｐｉｎｇプロキシサイトの前記データベースに登録されている場合に、
前記投稿情報を前記Ｗｅｂサイトから取得する手段と、
前記取得した投稿情報と前記情報提供依頼者のＷｅｂページのＵＲＬを、前記データベースに登録されている前記Ｐｉｎｇ送信先のＵＲＬを有する前記第１のＰｉｎｇサイトに送信する手段を備え、
前記第１のＰｉｎｇサイトは、前記Ｐｉｎｇプロキシサイトから取得した前記情報提供依頼者のＷｅｂページのＵＲＬが予め前記第１のＰｉｎｇサイトに登録されている場合に、前記投稿情報を前記Ｐｉｎｇプロキシサイトから取得し、該取得した投稿情報を前記第１のＰｉｎｇサイトの前記データベースに蓄積する手段を備えている情報提供システムである。【００２０】  さらに、本発明は、前記情報提供システムは、一つ又は複数の前記第１のＰｉｎｇサイトと、
前記Ｐｉｎｇプロキシサイトから送信された前記投稿情報を任意に取得して、該取得した投稿情報を前記データベースに蓄積する、一つ又は複数の第２のＰｉｎｇサイトを備えている情報提供システムである。【００２１】  さらに、本発明は、予め選択されたキーワートを登録したデータベースを備え、前記Ｐｉｎｇプロキシサイトから取得した投稿情報に、前記データベースに登録された前記キーワードが含まれている場合に、前記取得した投稿情報を、投稿情報を蓄積するデータベースに記憶する手段を有する第３のＰｉｎｇサイトを備えている情報提供システムである。【００２２】  さらに、本発明は、前記Ｐｉｎｇプロキシサイトは、前記第１、第２および第３のＰｉｎｇサイトに設定されているＰｉｎｇ送信先のＵＲＬを登録したデータベースを備えて、前記Ｗｅｂサイトから受信した前記投稿情報を、前記データベースに登録されている全ての前記Ｐｉｎｇ送信先のＵＲＬに送信するようになされた情報提供システムである。【００２３】  なお、上記した情報提供依頼者とは、インターネットプロバイダーのＷｅｂサイト等にホームページの開設登録を行って、そのホームページ（Ｗｅｂページ）のＵＲＬを保有し、インターネット上にウェブログのＷｅｂページを公開し、このＷｅｂページに、日々、あるいは必要な都度、新規情報を投稿（掲載）し、この投稿した情報をＰｉｎｇサイトに蓄積する情報提供者を示す。例えば、情報提供依頼者は、一般の企業、各種の団体、各種の店舗、個人、等である。【００２４】  さらに、上記したウェブログのＷｅｂページとは、ウェブログツールにより作成されたＷｅｂページの他に、従来から用いられているＷｅｂページにＦＴＰ（Ｆｉｌｅ  Ｔｒａｎｓｆｅｒ  Ｐｒｏｔｏｃｏｌ）等のファイル転送ソフトウエアにより新規情報を必要なときに任意に表示可能としたＷｅｂページも含む。【００２５】  さらに、上記したＰｉｎｇサイトとは、情報提供依頼者がインターネットを介してウェブログのＷｅｂページに投稿した新規情報（更新情報）を含む投稿情報を収集して蓄積し、誰でもこの蓄積した投稿情報をインターネットを介して閲覧できるようにしたサービスサイトのことをいう。【００２６】  さらに、上記したＰｉｎｇ送信先のＵＲＬとは、Ｐｉｎｇサイトに設定されているＵＲＬのうち、各種のＷｅｂサーバから送信された投稿情報を受信処理するための窓口となるＵＲＬである。
【発明の効果】
【００２７】  本発明は、次のような効果を有している。
（１）情報提供依頼者側のＷｅｂサーバが投稿情報と共に情報提供依頼者のＷｅｂサーバに設定されたウェブログＵＲＬをＰｉｎｇプロキシサイトに送信すると、Ｐｉｎｇプロキシサイトは、このウェブログＵＲＬが予めＰｉｎｇプロキシサイトに登録されているか否かを判定する処理を行なう。そして、登録されている場合のみ、この投稿情報を受信して、この受信した投稿情報とウェブログＵＲＬを第１のＰｉｎｇサイトに送信する。同様に、第１のＰｉｎｇサイトも、ウェブログＵＲＬ等の掲載可否判定情報を受信すると、この情報提供依頼者のウェブログＵＲＬ等の掲載可否判定情報が予め第１のＰｉｎｇサイトに登録されているか否かを判定する処理を行なって、登録されている場合のみ、この投稿情報を受信して、この受信した投稿情報をデータベースに記憶する処理を行なう。このように、Ｐｉｎｇプロキシサイトと第１のＰｉｎｇサイトの双方のサイトは、投稿情報を受信するときに、情報を投稿した情報提供依頼者の認証処理を、情報提供依頼者側のＷｅｂサーバに設定されたウェブログＵＲＬ等の掲載可否判定情報を用いて行なうので、第三者による不正な情報の投稿の防止や、関連情報のみの投稿情報を蓄積することが可能になる。【００２８】  （２）情報提供依頼者側が投稿した新規情報等の情報を送信する第１のＰｉｎｇサイト及び第２のＰｉｎｇサイト、および第３のＰｉｎｇサイトのＰｉｎｇ送信先のＵＲＬは、予めＰｉｎｇプロキシサイトのデータベースに登録されているので、情報提供依頼者は新規情報等の情報を投稿するときに、これら第１、第２及び第３のＰｉｎｇサイトに設定されているＰｉｎｇ送信先のＵＲＬを入力する操作が不要になる。【００２９】  （３）本発明のシステムを構成する第１のＰｉｎｇサイトは、例えば、商店街や店舗等の情報提供依頼者が活動する地域に設定されたＰｉｎｇサイトとし、第２のＰｉｎｇサイトは、各地に設立されている既存のＰｉｎｇサイトとし、第３のＰｉｎｇサイトは、特定の固有名詞等のキーワードが含まれる投稿情報を蓄積するＰｉｎｇサイトから構成することができる。このようなシステムにすると、地域の商店街等の活性化に貢献できる情報提供システムを提供することが可能になる。【００３０】  （４）さらに、第１、第３のＰｉｎｇサイトを複数設け、それぞれのＰｉｎｇサイトを、例えば、情報提供依頼者が飲食店であってこれら飲食店からの投稿情報を蓄積するＰｉｎｇサイト、同じく小売店、あるいはスポーツに興味を持つ者からの投稿情報を蓄積するＰｉｎｇサイト等、投稿される情報の分野別に専用化することができる。これにより、投稿情報について特徴を有する第１のＰｉｎｇサイトをそれぞれ複数備えて、一般ユーザが情報収集し易い情報提供システムを提供することが可能になる。
【発明を実施するための最良の形態】
【００３１】  以下、本発明を実施するための形態を図面に基づいて説明する。図１は、本発明を実施するためのシステム構成の一例を示す図である。図１において、１ａ、１ｂ、１ｃはパーソナルコンピュータから構成される情報提供依頼者の端末装置、２は同じく情報提供依頼者がホームページの開設登録を行なっているＷｅｂサイトであって、例えば、インターネット・サービス・プロバイダーが運営するサイトである。３はＰｉｎｇプロキシサイト、４ａ、４ｂは第１のＰｉｎｇサイト、５ａ、５ｂは第２のＰｉｎｇサイト、６ａ、６ｂはパーソナルコンピュータから構成される一般ユーザの端末装置である。なお、Ｗｅｂサイト２、Ｐｉｎｇプロキシサイト３、第１のＰｉｎｇサイト４ａ、４ｂ、および第２のＰｉｎｇサイト５ａ、５ｂは、サーサ用のＯＳを搭載したコンピュータから構成される。【００３２】  なお、本発明においては、上記した第１のＰｉｎｇサイトと第２のＰｉｎｇサイトのうち、第２のＰｉｎｇサイトは必ずしも備えている必要はないが、投稿情報を広範囲にわたって配信するために、一つまたは複数のＰｉｎｇサイトを備えることが望ましい。【００３３】  また、第１のＰｉｎｇサイトは、後記する本発明の特徴を備えているＰｉｎｇサイトであって、システムの規模の拡大等の必要性が生じたときに複数の第１のＰｉｎｇサイトを設けるようにするとよい。第２のＰｉｎｇサイト５ａ、５ｂは、例えば、各地に設立されている既存のＰｉｎｇサイトであって、情報提供依頼者の要望またはＰｉｎｇプロキシサイトの管理者の判断により、本システムが利用するＰｉｎｇサイトとして参画させるようにする。【００３４】  また、図１に示す情報提供依頼者の端末装置１ａ、１ｂ、１ｃ、Ｗｅｂサーバ２、Ｐｉｎｇプロキシサイト３、第１のＰｉｎｇサイト４ａ、４ｂ、第２のＰｉｎｇサイト５ａ、５ｂ、一般ユーザの端末装置６ａ、６ｂは、インターネット７に接続されている。【００３５】  情報提供依頼者の端末装置１ａ、１ｂ、１ｃは、Ｗｅｂページを閲覧するためのソフトウエアであるブラウザを備えている。そして、情報提供依頼者は、端末装置１ａ等を利用してＷｅｂサイト２をアクセスしてウェブログのＷｅｂページを画面に表示し、このＷｅｂページに情報を投稿し、さらに、この投稿情報をＰｉｎｇプロキシサイト３に送信する等の操作を行なう。さらに、端末装置１ａ等は、予め、本システムを利用する会員である情報提供依頼者に関する属性情報を入力してＰｉｎｇプロキシサイト３に送信する操作を行なう装置として使用される。【００３６】  Ｗｅｂサイト２は、情報提供依頼者のウェブログのＷｅｂページを含む各種のＷｅｂページを記憶しているインターネット・サービス・プロバイダーが運営するＷＥＢサイトである。また、Ｗｅｂサーバ２は、端末装置１ａ等から投稿された投稿情報をＰｉｎｇプロキシサイト３に送信する処理を行なう。【００３７】  Ｐｉｎｇプロキシサイト３は、本システムの管理・運営を行なう管理者が運営するサイトである。このＰｉｎｇプロキシサイト３は、本システムを利用する情報提供依頼者に関する属性情報を予めデータベースに登録する処理と、情報提供依頼者が端末装置１ａ、１ｂ、１ｃを使用して投稿した投稿情報���受信し、この受信した投稿情報を第１のＰｉｎｇサイト４ａ、４ｂ、あるいは、第２のＰｉｎｇサイト５ａ、５ｂに送信する処理等を行なうソフトウエアを備えている。また、Ｐｉｎｇプロキシサイト３は、この投稿情報を受信するときに、この情報提供依頼者を認証する手段を備えている。この認証処理の手順については後記する。【００３８】  第１のＰｉｎｇサイト４ａ、４ｂは、本システムの管理・運営を行なう管理者（Ｐｉｎｇプロキシサイト３の管理者）が管理・運営するＰｉｎｇサイト、あるいは、この管理者が委託した者が管理・運営するＰｉｎｇサイトである。本発明において、この第１のＰｉｎｇサイトを構成するＰｉｎｇサイト４ａ、４ｂは、Ｐｉｎｇプロキシサイト３から情報提供依頼者が投稿した投稿情報が送信されたときに、この情報提供依頼者を認証する手段を備えていることに特徴がある。この認証処理の手順については後記する。また、第１のＰｉｎｇサイト４ａ、４ｂは、Ｐｉｎｇプロキシサイト３から受信した情報提供依頼者が投稿した投稿情報を、データベースに時系列的に蓄積する処理を行なうと共に、この蓄積した投稿情報をウェブログのＷｅｂによりインターネット７上に公開する機能を備えている。【００３９】  第２のＰｉｎｇサイト５ａ、５ｂは、Ｐｉｎｇプロキシサイト３から情報提供依頼者が投稿した投稿情報が送信されたときに、この情報提供依頼者を認証する手段を備えていないＰｉｎｇサイト、すなわち、Ｐｉｎｇプロキシサイト３から送信された投稿情報を任意に受信して、受信した投稿情報をデータベースに時系列的に蓄積する処理を行なうサイトである。また、第２のＰｉｎｇサイト５ａ等も、データベースに時系列的に蓄積した投稿情報をウェブログのＷｅｂページによりインターネット７上に公開する機能を備えている。【００４０】  なお、第２のＰｉｎｇサイトを構成するＰｉｎｇサイト５ａ、５ｂは、前記した本システムの管理者以外が管理・運営するＰｉｎｇサイトであって、例えば、各地に設立されている既存のＰｉｎｇサイトである。【００４１】  上記した第１、第２の各Ｐｉｎｇサイトのデータベースには、例えば、情報提供依頼者がウェブログのＷｅｂページに付与したウェブログのタイトル名（例えば、店舗名）ごとに、投稿情報（記事タイトル、記事情報、等）が投稿日を付して時系列的に記憶される。さらに、これらＰｉｎｇサイトは、例えば、情報提供依頼者がウェブログのＷｅｂページに付与したカテゴリーに基づいて、ウェブログのタイトル名、記事のタイトル、ウェブログＵＲＬが表示され、この表示されたウェブログＵＲＬをクリックすると、ウェブログのＷｅｂページとリンクされる一覧表を示すＷｅｂページ等、を備えている。
一般のユーザ等は、端末装置６ａ、６ｂこの一覧表を示すＷｅｂページをアクセスして、情報提供依頼者のウェブログのＷｅｂページを表示し、Ｐｉｎｇサイトのデータベースに時系列的に蓄積されている投稿情報をこのＷｅｂページから閲覧することができる。また、このウェブログのＷｅｂページに意見を投稿することが可能になる。【００４２】  続いて、本システムを作動させるための準備事項、システムの動作手順とその処理内容を、下記（手順１）〜（手順９）基づいて説明する。なお、本発明のシステムを利用するユーザ会員である情報提供依頼者は、Ｗｅｂサイト２にＰｉｎｇ送信可能なＷｅｂサイトを開設して、そのウェブログＵＲＬを保有していることが前提になる。
図２は、情報提供依頼者の端末装置１ａ等、Ｗｅｂサイト２、第１のＰｉｎｇサイト４ａ等、第２のＰｉｎｇサイト５ａ等間で送信する情報の概要を示している。【００４３】  （手順１）：情報提供依頼者の準備事項
本発明のシステムを利用する情報提供依頼者は、まず、自分の端末装置１ａ等を操作してＰｉｎｇピロキシサイト２をアクセスして、Ｐｉｎｇプロキシサイト２にユーザ登録を行なう（図２に示す（Ａ））。
このユーザ登録は、例えば、Ｐｉｎｇプロキシサイト３のＷｅｂページをアクセスして、そのユーザ登録用Ｗｅｂページを利用して情報提供依頼者の名前（又は会社名）、住所、情報提供依頼者のウェブログＵＲＬ、ウェブログのタイトル名（例えば、店舗の名称）、情報提供依頼者のメールアドレス等の属性情報を登録する。図３は、このユーザ登録用Ｗｅｂページの一例を示す。図３に示すユーザ登録用Ｗｅｂページに必要とするデータを入力して送信ボタンをマウスでクリックすると、入力したデータはＰｉｎｇプロキシサイト３に送信される。【００４４】  Ｐｉｎｇプロシキサイト３は、端末装置１ａ等から情報提供依頼者の属性情報を受信すると、ソフトウエアの処理により、これら受信した情報を図２に示す情報提供依頼者データベースＤ１に登録する。図４は、この情報提供依頼者データベースＤ１のデータ構成の一例を示す。情報提供依頼者データベースＤ１には、例えば、情報提供依頼者の名前ごとに、情報提供依頼者のウェブログＵＲＬ、ウェブログのタイトル名、依頼者のメールアドレス、依頼者の住所、等が登録される。なお、これらの属性情報のうち、情報提供依頼者のウェブログＵＲＬは、Ｐｉｎｇピロキシサイト２がソフトウエア処理により情報提供依頼者を認証するためのデータになる。【００４５】  （手順２）：情報提供依頼者の準備事項
情報提供依頼者は、自分が投稿した情報の蓄積を希望する第１のＰｉｎｇサイト４ａ、４ｂ等の何れかをアクセスして、ウェブログＵＲＬを登録するＷｅｂページを表示し、自分のウェブログＵＲＬを登録する操作を行なう。このウェブログＵＲＬは、第１のＰｉｎｇサイト４ａ、４ｂが情報提供依頼者により投稿された投稿情報を受信するときに、この情報提供依頼者を認証するためのデータになる。【００４６】  第１のＰｉｎｇサイト４ａ、４ｂは、端末装置１ａ等から情報提供依頼者のウェブログＵＲＬを受信すると、ソフトウエアの処理により、これら受信したウェブログＵＲＬを図２に示すＰｉｎｇサイト４ａ、４ｂのウェブログＵＲＬデータベースＤ２に登録する。【００４７】  （手順３）：情報提供依頼者の準備事項
情報提供依頼者は、端末装置１ａ等からＷｅｂサイト２の自分のウェブブログの管理ページをアクセスして、Ｐｉｎｇプロキシサイト３のＰｉｎｇ送信先のＵＲＬを、Ｗｅｂサイト２に登録する操作を行なう。このＰｉｎｇ送信先のＵＲＬを登録するＷｅｂページの一例を図５に示す。図５に示すＷｅｂページＧ１において、情報提供依頼者は入力欄Ｇ１Ａに、Ｐｉｎｇプロキシサイト３のＰｉｎｇ送信先のＵＲＬを入力する操作を行なう。【００４８】  上記した（手順１〜手順３）で実施する準備事項を実施する順序は、任意の順序でよい。また、情報提供依頼者の準備事項としては、Ｗｅｂサイト２をアクセスしてウェブログツールを作動させて、自分のＷｅｂページとなるウェブログを作成する必要がある。【００４９】  （手順４）：Ｐｉｎｇプロキシサイト３の管理者の準備事項
Ｐｉｎｇプロキシサイト３の管理者は、情報提供依頼者が投稿した投稿情報をＷｅｂサイト２から受信したときに、この受信した投稿情報を第１および第２のＰｉｎｇサイトを構成する第１のＰｉｎｇサイト４ａ、４ｂ、第２のＰｉｎｇサイト５ａ、５ｂのＰｉｎｇ送信先のＵＲＬを、図２に示すＰｉｎｇ送信先ＵＲＬデータベースＤ３に登録する操作を行なう。この登録操作は、図１には示していないが、Ｐｉｎｇプロキシサイト３をアクセスできるパーソナルコンピュータを利用して行なう。【００５０】  このＰｉｎｇサイト送信先ＵＲＬデータベースＤ３のデータ構成の一例を図６に示す。図６に示すように、Ｐｉｎｇ送信先ＵＲＬデータベースＤ３には、各ＰｉｎｇサイトのＰｉｎｇ送信先のＵＲＬごとに、このＰｉｎｇサイトの区分情報、すなわち、第１のＰｉｎｇサイトか第２のＰｉｎｇサイトであるかを区別する情報（例えば、「１」または「２」）も登録しておくとよい。このＰｉｎｇサイト区分情報を登録すると、本システムに情報提供依頼者の認証処理を行なう第１と、情報提供依頼者の認証処理を行なわない第２のＰｉｎｇサイトが多数参画したとき、このデータベースＤ３の保守や管理等の操作やソフトウエアの処理が容易になる。【００５１】  （手順５）：情報提供依頼者の情報の投稿
情報提供依頼者は、自分のウェブログのＷｅｂページに情報を投稿する。この情報の投稿は、端末装置１ａ等にウェブログのＷｅｂページの管理ページを表示して、投稿情報を入力する。図７は、このＷｅｂページに情報を投稿した画面例を示す。図７に示す画面例Ｇ２には、ウェブログのタイトル名を表示する領域ｇ１、入力する情報（記事）のタイトルを表示する欄ｇ２、情報のカテゴリーを選択する欄ｇ３、投稿する情報（記事）を入力する欄ｇ４、保存ボタンｇ５、等の領域が設定されている。【００５２】  情報提供依頼者は、このＷｅｂページＧ２の欄ｇ２、欄ｇ３、欄ｇ４内に、適切な情報を投稿（入力）する。これらの情報を投稿するタイミングは、例えば、情報提供依頼者がレストランである場合には、毎日のメニューのうち、一般ユーザに集客のためのＰＲ情報を発信したい情報を、例えば、毎日投稿するようにする。ＷｅｂページＧ２に日々の新しい情報（新規情報）の投稿が完了すると、「保存ボタン」をマウスでクリックする。すると、投稿した情報は、Ｗｅｂサイト２に送信されてＷｅｂサイト２の外部記憶装置Ｄ５に記憶されると共に、Ｐｉｎｇプロキシサイト３に送信される（図２に示す（Ｂ）、（Ｃ））。【００５３】  Ｗｅｂサイト２がＷｅｂページＧ２から取得した投稿情報をＰｉｎｇプロキシサイト３への送信と、Ｐｉｎｇプロキシサイト３の受信を行なうソフトウエアは、次のような処理を実行する。【００５４】（処理１）まず、情報提供依頼者のウェブログＵＲＬとウェブログのタイトル名ｇ１を送信する。【００５５】（処理２）Ｐｉｎｇプロキシサイト３は、受信したウェブログＵＲＬが、情報提供依頼者データベースＤ１に登録されているか否かの認証処理を行なう。そして、登録されている場合には、この情報提供依頼者のウェブログＵＲＬをアクセスして、記事が投稿されたページのＵＲＬ、情報提供依頼者が管理ページを利用して投稿した記事のタイトルｇ２、記事の内容ｇ４ａ等、投稿情報を取得する処理を行なう。この取得した投稿情報は、一旦外部記憶装置に記憶する処理を行なう。【００５６】（処理３）一方、受信したウェブログＵＲＬが、情報提供依頼者データベースＤ１に登録されていない場合には、Ｗｅｂサイト２から投稿情報等を取得する処理は行わないようにする。
上記した（処理２）は、情報提供依頼者のウェブログＵＲＬに関するデータに基づいて、Ｐｉｎｇプロキシサイト３がこの情報提供依頼者を認証する方法であって、本発明の特徴をなすものである。情報提供依頼者のウェブログＵＲＬに関するデータは、情報提供依頼者を認証するための固有の識別情報、すなわち、投稿された情報をＷｅｂページに掲載の可否を判定するための掲載可否判定情報の一つになるので、他のウェブログＵＲＬを保有している者からの不正な情報の送信を防止することができる。【００５７】  （手順６）：Ｐｉｎｇプロキシサイト３のＰｉｎｇサイトへのＰｉｎｇ送信処理
Ｐｉｎｇプロキシサイト３はソフトウエアの処理により、一旦外部記憶装置に記憶した情報提供依頼者の投稿情報を各Ｐｉｎｇサイトに送信するためのフォーマットに編集する。続いて、ＰｉｎｇサイトＵＲＬデータベースＤ３を参照して、フォーマット編集したこの投稿情報を、データベースＤ３に予め登録されている各ＰｉｎｇサイトのＰｉｎｇ送信先のＵＲＬに送信する処理を行なう。このとき、Ｐｉｎｇプロキシサイト３は、この投稿情報と共に、情報提供依頼者のウェブログＵＲＬのデータもＰｉｎｇサイトに送信する処理を行なう（図２に示す（Ｄ））。【００５８】  （手順７）：Ｐｉｎｇサイトの投稿情報に対する受信処理
現在、各地に設立されているＰｉｎｇサイトは、情報提供依頼者が投稿した新しい投稿情報を含む投稿情報を受信するとき、この情報提供依頼者が予め当該Ｐｉｎｇサイトのユーザとして登録されているか否かを認証する処理を行なうＰｉｎｇサイト（第１のＰｉｎｇサイト）と、情報提供依頼者の認証処理を行わないＰｉｎｇサイト（第２のＰｉｎｇサイト）が存在している。【００５９】  上記した情報提供依頼者の認証処理を行わない第２のＰｉｎｇサイト（図１にＰｉｎｇサイト５ａ、５ｂ）は、情報提供者のウェブログＵＲＬと投稿情報を無条件で（任意に）受信して、受信した投稿情報を投稿情報データベースＤ４に時系列的に蓄積する処理を行なう。【００６０】  これに対して、情報提供依頼者の認証処理を行なう第１のＰｉｎｇサイト、すなわち、本システムの会員が投稿した投稿情報を蓄積する図１に示すＰｉｎｇサイト４ａ、４ｂは、Ｐｉｎｇプロキシサイト３から情報提供依頼者のブログのＵＲＬを受信すると、この受信したウェブログＵＲＬが第１のＰｉｎｇサイト３ａ等のウェブログＵＲＬデータベースＤ２に予め登録されているか否かの認証処理を行なうようにする。そして、この認証処理により受信した情報提供依頼者のウェブログＵＲＬが予めウェブログＵＲＬデータベースＤ２に登録されていると、Ｐｉｎｇプロキシサイト３から送信された投稿情報を受信してこの受信した投稿情報を投稿情報データベースＤ４に時系列的に蓄積する処理を行なう。一方、受信した情報提供依頼者のウェブログＵＲＬがウェブログＵＲＬデータベースＤ２に登録されていない場合には、ユーザ登録がなされていないと判断して、この投稿情報の受信（取得）は行なわないで、この受信処理を終了させる。この処理は、本発明の特徴をなすものである。【００６１】  （手順８）
第１のＰｉｎｇサイトを構成するＰｉｎｇサイト４ａ、４ｂは、各情報提供依頼者のブログＵＲＬとリンクを張ったＷｅｂページを公開して、一般のユーザが端末装置６ａ、６ｂを操作して情報提供依頼者のウェブログのＷｅｂページが閲覧できるようにする。このＷｅｂページの表示例を図８に示す。図８に示すウェブログのＷｅｂページの表示例Ｇ３の中央部には、ウェブログのタイトル名ｇ１と、投稿された記事情報を時系列的、すなわち、最新の投稿日順にその投稿日ｇ６と、記事のタイトルｇ２、記事情報ｇ４ｂが表示される。また、左端部にはリンク情報ｇ７が表示される。【００６２】（手順９）
さらに、各Ｐｉｎｇサイト４ａ、４ｂは、前記した図８に示すウェブログのＷｅｂページＧ３をアクセスさせるために、図９に示すようなＷｅｂページＧ４を公開するようにする。図９に示すＷｅｂページＧ４は、ウェブログのタイトル名ｇ１、記事のタイトルｇ２、この記事のタイトルｇ２を公開する情報提供依頼者のＷｅｂページのＵＲＬｇ８等に関するデータを示す一覧表である。一般ユーザ等は、このＷｅｂページＧ４をアクセスして画面に表示し、続いて、閲覧したいＷｅｂページのＵＲＬｇ８の表示領域をマウスでクリックすると、リンクが取れて図８に示すＷｅｂページＧ３を表示させることができるようになる。【００６３】  なお、一般のユーザ等がウェブログのＷｅｂページＧ３を閲覧して、この情報提供依頼者に意見等を投稿する場合には、例えば、ＷｅｂページＧ３から意見を投稿するためのＷｅｂページをアクセスして、この意見投稿用Ｗｅｂページに意見を投稿する。【００６４】  続いて、本発明の他の実施例を、図１０に基づいて説明する。図１０は、図１に示す本発明のシステム構成において、第３のＰｉｎｇサイトを構成するＰｉｎｇサイト８ａを設けた例を示す。この第３のＰｉｎｇサイトを構成するＰｉｎｇサイト８ａは、一つまたは複数のサイトを設けることができる。また、第３のＰｉｎｇサイトを構成するＰｉｎｇサイト８ａ等は、それぞれ、前記した第１のＰｉｎｇサイトと同様なウェブログＵＲＬデータベースＤ２と投稿情報蓄積データベースＤ４を備え、さらに、キーワード登録データベースＤ６を備えている。【００６５】  このキーワード登録データベースＤ６には、予め選択されたキーワートが登録されている。このキーワードとは、例えば、有名人の名前、地名、国名、「選挙」等の名詞を示す。そして、それぞれの第３のＰｉｎｇサイトを管理・運営する管理者は、予めこれらのキーワードを選定してキーワード登録データベースＤ６に登録しておく。そして、第３のＰｉｎｇサイトに搭載されているソフトウエアは、Ｐｉｎｇプロシキサイト３から投稿情報を取得すると、取得した投稿情報にキーワード登録データベースＤ６に登録されたキーワードが含まれているか否かを判定する処理を行なう。そして、予め登録されたキーワードが含まれている場合には、取得した投稿情報を投稿情報データベースＤ４に蓄積する処理を行なう。【００６６】  なお、取得した投稿情報にキーワード登録データベースＤ６に登録されたキーワードが含まれているか否かを判定する処理は、例えば、登録されたキーワードが投稿情報のうち、記事のタイトルｇ２、あるいは、投稿記事内容ｇ４ａの何れかに含まれている投稿情報を選択して投稿情報蓄積データベースＤ４に蓄積する処理を行う等、適切に処理する。【００６７】  なお、第３のＰｉｎｇサイトは、Ｐｉｎｇプロキシサイト３から情報提供依頼者のウェブログＵＲＬを受信したとき、前記した第１のＰＩＮＧサイトと同様に、この受信した情報提供依頼者のウェブログＵＲＬが、予めウェブログＵＲＬデータベースＤ２に登録されているか否かの認証処理を行なう。また、本システムのこの第３のＰｉｎｇサイトを設ける場合には、前記したＰｉｎｇプロキシサイト３が備えているＰｉｎｇ送信先ＵＲＬのデータベ��スＤ３に、この第３のＰｉｎｇサイトの機能を備えているＰｉｎｇサイト８ａ等に設定されているＰｉｎｇ送信先ＵＲＬを登録しておく。【００６８】  本発明において、上記した第３のＰｉｎｇサイトを設けることにより、第３のＰｉｎｇサイトを構成する各Ｐｉｎｇサイト８ａ等は、自動的に特定のキーワードに関連する投稿情報を収集した特色のある情報提供システムを構築することができる。【００６９】  なお、上記したＰｉｎｇプロキシサイト３、第１、第３のＰｉｎｇサイトが行なう情報提供依頼者のウェブログＵＲＬによりこの情報提供依頼者を認証する手段の他に、次のようなチェック手段を設けて、不正な投稿情報の送信を受付けないように手段を採用することができる。【００７０】  すなわち、予め、公序良俗に反するような不正な単語をＰｉｎｇプロキシサイト３、および第１、第３のＰｉｎｇサイトのデータベースに登録しておく。そしてソフトウエアの処理により、記事のタイトルｇ２と記事情報ｇ４ａのデータ内に予め登録している不正な単語が含まれている場合と判定された場合には、次の処理を行なう。
（１）Ｐｉｎｇプロキシサイト３は、Ｗｅｂサイト２から受信した投稿情報をＰｉｎｇサイトに送信しない処理を行なう。
（２）第１、第３のＰｉｎｇサイトは、受信した投稿情報を投稿情報データベースに蓄積しない処理を行なう。
【図面の簡単な説明】
【００７１】
【図１】  本発明のシステム構成の一例を説明するための図である。
【図２】  図１に示す情報提供依頼者の端末装置、Ｗｅｂサイト、Ｐｉｎｇプロキシサイト、Ｐｉｎｇサイト間の情報の流れを示す図である。
【図３】  図１に示すＰｉｎｇプロキシサイトが備えているユーザ登録用Ｗｅｂページの一例を示す図である。
【図４】  同じく、Ｐｉｎｇプロキシサイトが備えている情報提供依頼者データベースについて、そのデータ構成の一例を示す図である。
【図５】  同じく、Ｗｅｂサイトが備えているＰｉｎｇ送信先を設定するためのＷｅｂページ例を示す図である。
【図６】  同じく、Ｐｉｎｇプロキシサイトが備えているＰｉｎｇ送信先ＵＲＬのデータベースについて、そのデータ構成の一例を示す図である。
【図７】  情報提供依頼者が情報を投稿するためのウェブログのＷｅｂページの一例を説明するための図である。
【図８】  情報提供依頼者のＷｅｂサイトが公開するウェブログのＷｅｂページの一例を説明するための図である。
【図９】  図１に示すＰｉｎｇサイトが公開するＷｅｂページの一例を説明するための図である。
【図１０】  本発明の他のシステム構成例を説明するための図である。
【符号の説明】
１ａ、１ｂ、１ｃ：情報提供依頼者の端末装置
２  ：Ｗｅｂサーバ
３  ：Ｐｉｎｇプロキシサイト
４ａ、４ｂ：第１のＰｉｎｇサイト
５ａ、５ｂ：第２のＰｉｎｇサイト
６ａ、６ｂ：一般ユーザの端末装置
７  ：インターネト
８ａ：第３のＰｉｎｇサイト
Ｄ１：情報提供依頼者データベース
Ｄ２：ウェブログＵＲＬデータベース
Ｄ３：Ｐｉｎｇ送信先ＵＲＬデータベース
Ｄ４：投稿情報データベース
Ｄ６：キーワード登録データベース
【図１】
2007087361.tif 000003
【図２】
2007087361.tif 000004
【図３】
2007087361.tif 000005
【図４】
2007087361.tif 000006
【図５】
2007087361.tif 000007
【図６】
2007087361.tif 000008
【図７】
2007087361.tif 000009
【図８】
2007087361.tif 000010
【図９】
2007087361.tif 000011
【図１０】
2007087361.tif 000012